(57)【要約】  本発明の一実施例による広告表現方法は、携帯端末に文字メッセージの着信を通知するメッセージ着信通知シグナルが受信される場合、上記文字メッセージの着信を通知するメッセージ着信通知画面の遊休空間内に広告コンテンツを出力する段階；上記広告コンテンツが出力中の上記メッセージ着信通知画面で、受信者が上記文字メッセージの確認のためのボタンをクリックする場合、上記受信された文字メッセージを確認することができる文字メッセージ画面に移動し、上記文字メッセージ画面の遊休空間内に上記広告コンテンツを続いて出力する段階；及び上記受信者が上記文字メッセージを確認した後、上記文字メッセージ画面を閉じる場合、上記広告コンテンツの出力を解除すると同時に広告主のサイトに移動する段階とを含み、上記広告コンテンツは広告サーバから予めダウンロードされて上記携帯端末のメモリに格納されたものであるか、上記文字メッセージの受信と同時に上記広告サーバからストリーミング方式で送られたものである。【選択図】図２
2013513853.tif 000002
【特許請求の範囲】
【請求項１】
広告表現システムにより遂行される広告表現方法において、
前記広告表現システムで、携帯端末に文字メッセージの着信を通知するメッセージ着信通知シグナルが受信される場合、前記文字メッセージの着信を通知するメッセージ着信通知画面の遊休空間内に広告コンテンツを出力する段階；
前記広告表現システムで、前記広告コンテンツが出力中の前記メッセージ着信通知画面で、前記文字メッセージの確認のためのボタンがクリックされる場合、前記受信された文字メッセージを確認することができる文字メッセージ画面に移動し、前記文字メッセージ画面の遊休空間内に前記広告コンテンツを続いて出力する段階；
前記広告表現システムで、前記文字メッセージ画面が閉じる場合、前記広告コンテンツの出力を解除すると同時に広告主のサイトに移動する段階；
前記広告表現システムで、前記メッセージ着信通知画面の遊休空間内に表現された前記広告コンテンツ、または前記文字メッセージ画面の遊休空間内に表現された前記広告コンテンツがクリックされる場合、前記携帯端末の画面上に広告受信確認メッセージの送信許容可否を選択することができる送信許容選択画面を表示する段階；及び
前記広告表現システムで、前記送信許容選択画面で送信許容が選択される場合、前記文字メッセージを送信した送信者の携帯端末に前記広告受信確認メッセージとともに前記広告コンテンツを送る段階とを含み、
前記広告コンテンツは、
広告サーバから予めダウンロードされて前記携帯端末のメモリに格納されたものであるか、前記文字メッセージの受信と同時に前記広告サーバからストリーミング方式で送信されたものであり、前記送信者の携帯端末画面に表現されるが、前記広告受信確認メッセージの確認のための受信確認メッセージ画面の遊休空間内に表現される
ことを特徴とする受信メッセージ着信通知時の遊休空間内の広告表現方法。
【請求項２】
前記広告表現システムで、前記送信許容選択画面で送信拒否が選択される場合、前記広告コンテンツに対する広告費の一定額をポイント化して受信者に提供することで、前記受信者がポイントを用いて無料文字を送るようにする段階をさらに含む
ことを特徴とする請求項１に記載の受信メッセージ着信通知時の遊休空間内の広告表現方法。
【請求項３】
前記文字メッセージ画面の遊休空間内には、
前記広告コンテンツと関連した情報が出力される
ことを特徴とする請求項１に記載の受信メッセージ着信通知時の遊休空間内の広告表現方法。
【請求項４】
前記広告サーバは、
受信者の個人情報に基礎して広告データベースから該当の広告コンテンツを選別し、前記選別された広告コンテンツを前記受信者の携帯端末に送る
ことを特徴とする請求項１に記載の受信メッセージ着信通知時の遊休空間内の広告表現方法。
【請求項５】
広告表現システムにより遂行される広告表現方法において、
前記広告表現システムで、携帯端末に受信された着信信号に対して受信者が応答しなかったため前記着信信号が終わる場合、不在時に電話がかかってきたことを知らせるための不在着信メッセージ通知画面の遊休空間内に広告コンテンツを出力する段階；
前記広告表現システムで、前記広告コンテンツが出力中の前記不在着信メッセージ通知画面で、前記不在時に着信された電話番号の確認のためのボタンがクリックされる場合、前記電話番号を確認することができる不在着信確認画面に移動し、前記不在着信確認画面の遊休空間内に前記広告コンテンツを続いて出力する段階；
前記広告表現システムで、前記不在着信確認画面が閉じる場合、前記広告コンテンツの出力を解除すると同時に広告主のサイトに移動する段階；
前記広告表現システムで、前記不在着信メッセージ通知画面の遊休空間内に表現された前記広告コンテンツ、または前記不在着信確認画面の遊休空間内に表現された前記広告コンテンツがクリックされる場合、前記携帯端末の画面上に広告受信確認メッセージの送信許容可否を選択することができる送信許容選択画面を表示する段階；及び
前記広告表現システムで、前記送信許容選択画面で送信許容が選択される場合、送信者の携帯端末に前記広告受信確認メッセージとともに前記広告コンテンツを送る段階とを含み、
前記広告コンテンツは、
広告サーバから予めダウンロードされて前記携帯端末のメモリに格納されたものであるか、文字メッセージの受信と同時に前記広告サーバからストリーミング方式で送られたものであり、前記送信者の携帯端末画面に表現されるが、前記広告受信確認メッセージの確認のための受信確認メッセージ画面の遊休空間内に表現される
ことを特徴とする不在着信通知時の遊休空間内の広告表現方法。
【請求項６】
前記広告表現システムで、前記不在着信メッセージ通知画面で、前記不在時に着信された電話番号の確認のためのボタンがクリックされる場合、送信者の携帯端末には前記不在時に着信された電話番号を確認したという確認文字を送り、前記受信者の携帯端末には無料文字を送ることができるポイントを提供する段階をさらに含む
ことを特徴とする請求項５に記載の不在着信通知時の遊休空間内の広告表現方法。
【請求項７】
前記広告表現システムで、前記送信許容選択画面で送信拒否が選択される場合、前記広告コンテンツに対する広告費の一定額をポイント化して前記受信者に提供することで、前記受信者がポイントを用いて無料文字を送るようにする段階をさらに含む
ことを特徴とする請求項５に記載の不在着信通知時の遊休空間内の広告表現方法。
【請求項８】
携帯端末に文字メッセージの着信を通知するメッセージ着信通知シグナルが受信される場合、前記文字メッセージの着信を通知するメッセージ着信通知画面の遊休空間内に広告コンテンツを出力し、前記広告コンテンツが出力中の前記メッセージ着信通知画面で、前記文字メッセージの確認のためのボタンがクリックされる場合、前記受信された文字メッセージを確認することができる文字メッセージ画面に移動し、前記文字メッセージ画面の遊休空間内に前記広告コンテンツを続いて出力する広告出力部；
前記文字メッセージ画面が閉じる場合、前記広告コンテンツの出力を解除すると同時に広告主のサイトに移動する広告解除部；
前記メッセージ着信通知画面の遊休空間内に表現された前記広告コンテンツ、または前記文字メッセージ画面の遊休空間内に表現された前記広告コンテンツがクリックされる場合、前記携帯端末の画面上に広告受信確認メッセージの送信許容可否を選択することができる送信許容選択画面を表示する選択画面表示部；及び
前記送信許容選択画面で送信許容が選択される場合、前記文字メッセージを送信した送信者の携帯端末に前記広告受信確認メッセージとともに前記広告コンテンツを送るコンテンツ転送部とを含み、
前記広告コンテンツは、
広告サーバから予めダウンロードされて前記携帯端末のメモリに格納されたものであるか、前記文字メッセージの受信と同時に前記広告サーバからストリーミング方式で送られたものであり、前記送信者の携帯端末画面に表現されるが、前記広告受信確認メッセージの確認のための受信確認メッセージ画面の遊休空間内に表現される
ことを特徴とする受信メッセージ着信通知時の遊休空間内の広告表現システム。
【請求項９】
前記送信許容選択画面で送信拒否が選択される場合、前記広告コンテンツに対する広告費の一定額をポイント化して前記受信者に提供することで、前記受信者がポイントを用いて無料文字を送ることができるようにするポイント提供部をさらに含む
ことを特徴とする請求項８に記載の受信メッセージ着信通知時の遊休空間内の広告表現システム。
【請求項１０】
携帯端末に受信された着信信号に対して受信者が応答しなかったため前記着信信号が終わる場合、不在時に電話がかかってきたことを知らせるための不在着信メッセージ通知画面の遊休空間内に広告コンテンツを出力し、前記広告コンテンツが出力中の前記不在着信メッセージ通知画面で、前記不在時に着信された電話番号の確認のためのボタンがクリックされる場合、前記電話番号を確認することができる不在着信確認画面に移動し、前記不在着信確認画面の遊休空間内に前記広告コンテンツを続いて出力する広告出力部；及び
前記不在着信確認画面が閉じる場合、前記広告コンテンツの出力を解除すると同時に広告主のサイトに移動する広告解除部；
前記不在着信メッセージ通知画面の遊休空間内に表現された前記広告コンテンツ、または前記不在着信確認画面の遊休空間内に表現された前記広告コンテンツがクリックされる場合、前記携帯端末の画面上に広告受信確認メッセージの送信許容可否を選択することができる送信許容選択画面を表示する選択画面表示部；及び
前記送信許容選択画面で送信許容が選択される場合、送信者の携帯端末に前記広告受信確認メッセージとともに前記広告コンテンツを送るコンテンツ転送部とを含み、
前記広告コンテンツは、
広告サーバから予めダウンロードされて前記携帯端末のメモリに格納されたものであるか、文字メッセージの受信と同時に前記広告サーバからストリーミング方式で送られたものであり、前記送信者の携帯端末画面に表現されるが、前記広告受信確認メッセージの確認のための受信確認メッセージ画面の遊休空間内に表現される
ことを特徴とする不在着信通知時の遊休空間内の広告表現システム。
【請求項１１】
前記不在着信メッセージ通知画面で、前記不在時に着信された電話番号の確認のためのボタンがクリックされる場合、送信者の携帯端末には前記不在時に着信された電話番号を確認したという確認文字を送り、前記受信者の携帯端末には無料文字を送ることができるポイントを提供するポイント提供部をさらに含む
ことを特徴とする請求項１０に記載の不在着信通知時の遊休空間内の広告表現システム。
【発明の詳細な説明】
【技術分野】
【０００１】
本発明の実施例は、受信メッセージ着信通知時の遊休空間内に広告を表現する方法及びシステムに関する。
【背景技術】
【０００２】
近来、携帯電話のような携帯端末は、既存の音声通話機能の水準より更なる多様なマルチメディア機能を付加した携帯用情報器機へ発展している。これにより、最近発売開始される携帯端末は、単純な音声通話機能の他に、文字または写真、音声、歌、映画などのようなマルチメディアデータを送受信することができる機能が一般的に搭載される。
【０００３】
文字メッセージの送受信技術の場合、携帯端末は短文メッセージ（ｓｈｏｒｔ  ｍｅｓｓａｇｅ）だけでなく、長文メッセージ（ｌｏｎｇ  ｍｅｓｓａｇｅ）、マルチメディアメッセージ（ｍｕｌｔｉｍｅｄｉａ  ｍｅｓｓａｇｅ）も送受信することができる機能を提供する。
【０００４】
このような文字メッセージサービス中、例えば、短文メッセージサービス（ＳＭＳ：Ｓｈｏｒｔ  Ｍｅｓｓａｇｅ  Ｓｅｒｖｉｃｅ）は、携帯端末間またはインターネットに接続した個人用コンピューターと携帯端末との間にハングル４０字内外の短い文章をやり取りすることができる文字サービスである。
【０００５】
文字メッセージサービスは電子メール（ｅ−ｍａｉｌ）とは異なり、発送時点とほぼ同時に内容の伝達が可能であり、無線呼び出しサービスとは異なり、携帯端末の電源が入っていないか、さらに、通話が不可能な地域に相手が位置していても何日間の保存が可能であるため、通信手段の一つとしてすでに確固な席を固めた状態である。
【０００６】
これにより、最近には文字メッセージサービスを用いて多くの広告主または広告会社で広告サービスを提供しており、このような広告サービスは通話者が一定時間広告を聞き取ると、一定時間無料または割引された通話ができるようにする。
【０００７】
しかし、従来の文字メッセージを用いた広告サービスは、広告業者または広告主が受信者の同意なしに広告をスパムメッセージとして送る方式を使った。これにより受信者は所望しない文字メッセージが送信され、結局、広告を確認もせず、そのまま削除するなどのことが発生され、これにより文字メッセージを用いた広告サービスが円滑に行われない問題点があった。
【発明の概要】
【発明が解決しようとする課題】
【０００８】
本発明の一実施例は、携帯端末にメッセージ着信通知シグナルが届いた時点から文字メッセージ画面が閉じる直前まで、メッセージ着信通知画面及び文字メッセージ画面の遊休空間内に連続して広告を示すことにより、携帯電話使用者が文字メッセージを見るために注意を集中した状態で効率的に広告を表示できるようにする広告表現システム及び方法を提供する。
【０００９】
本発明の一実施例は、不在着信の受信時、不在着信通知画面の遊休空間内に広告を表現することで、携帯端末の利用に不便を与えないながらも使用者の関心を導いて広告効果を極大化させることができる広告表現システム及び方法を提供する。
【００１０】
本発明の一実施例は、広告を見た受信者に広告費の一定額をポイントで提供することで、受信者が無料または割引された文字サービスが利用可能なリワーディングを付与することができる広告表現システム及び方法を提供する。
【００１１】
本発明が解決しようとする課題は前述した課題に制限されず、言及されなかったまた他の課題は以下の記載から当業者にとって明確に理解することができるはずである。
【課題を解決するための手段】
【００１２】
本発明の一実施例による広告表現方法は、携帯端末に文字メッセージの着信を通知するメッセージ着信通知シグナルが受信される場合、上記文字メッセージの着信を通知するメッセージ着信通知画面の遊休空間内に広告コンテンツを出力する段階；上記広告コンテンツが出力中の前記メッセージ着信通知画面で、受信者が上記文字メッセージの確認のためのボタンをクリックする場合、上記受信された文字メッセージを確認することができる文字メッセージ画面に移動し、上記文字メッセージ画面の遊休空間内に上記広告コンテンツを連続して出力するか、または他の広告を出力する段階；及び上記受信者が上記文字メッセージを確認した後、上記文字メッセージ画面を閉じる場合、上記広告コンテンツの出力を解除するとともに消費者の同意により広告主のサイトに移動する段階とを含み、上記広告コンテンツは広告サーバから予めダウンロードされて上記携帯端末のメモリに格納されたものであるか、上記文字メッセージの受信と同時に上記広告サーバからストリーミング方式で送られたものである。
【００１３】
本発明の他の実施例による広告表現方法は、携帯端末に受信された着信信号に対して受信者が応答しなかったため上記着信信号が終了する場合、不在時に電話がかかってきたことを知らせるための不在着信メッセージ通知画面の遊休空間内に広告コンテンツを出力する段階；上記広告コンテンツが出力中の上記不在着信メッセージ通知画面で、上記受信者が不在時に着信された電話番号の確認のためのボタンをクリックする場合、上記電話番号を確認することができる不在着信確認画面に移動し、上記不在着信確認画面の遊休空間内に上記広告コンテンツを続いて出力する段階；及び上記受信者が上記電話番号を確認した後、上記不在着信確認画面を閉じる場合、上記広告コンテンツの出力を解除するか、広告主のサイトに移動する段階とを含み、上記広告コンテンツは、広告サーバから予めダウンロードされて上記携帯端末のメモリに格納されたものであるか、上記文字メッセージの受信と同時に上記広告サーバからストリーミング方式で送られたものである。
【００１４】
本発明の一実施例による広告表現システムは、携帯端末に文字メッセージの着信を通知するメッセージ着信通知シグナルが受信される場合、上記文字メッセージの着信を通知するメッセージ着信通知画面の遊休空間内に広告コンテンツを出力し、上記広告コンテンツが出力中の上記メッセージ着信通知画面で、受信者が上記文字メッセージの確認のためのボタンをクリックする場合、上記受信された文字メッセージを確認することができる文字メッセージ画面に移動し、上記文字メッセージ画面の遊休空間内に上記広告コンテンツを続いて出力する広告出力部；及び上記受信者が上記文字メッセージを確認した後、上記文字メッセージ画面を閉じる場合、上記広告コンテンツの出力を解除するか、広告主のサイトに移動する広告解除部とを含み、上記広告コンテンツは、広告サーバから予めダウンロードされて上記携帯端末のメモリに格納されたものであるか、上記文字メッセージの受信と同時に上記広告サーバからストリーミング方式で送られたものである。
【００１５】
本発明の他の実施例による広告表現システムは、携帯端末に受信された着信信号に対して受信者が応答しなかったため上記着信信号が終了する場合、不在時に電話がかかってきたことを知らせるための不在着信メッセージ通知画面の遊休空間内に広告コンテンツを出力し、上記広告コンテンツが出力中の上記不在着信メッセージ通知画面で、上記受信者が不在時に着信された電話番号の確認のためのボタンをクリックする場合、上記電話番号を確認することができる不在着信確認画面に移動し、上記不在着信確認画面の遊休空間内に上記広告コンテンツを続いて出力する広告出力部；及び上記受信者が上記電話番号を確認した後、上記不在着信確認画面を閉じる場合、上記広告コンテンツの出力を解除するか、広告主のサイトに移動する広告解除部とを含み、上記広告コンテンツは、広告サーバから予めダウンロードされて上記携帯端末のメモリに格納されたものであるか、上記文字メッセージの受信と同時に上記広告サーバからストリーミング方式で送られたものである。
【００１６】
その他の実施例の具体的な事項は詳細な説明及び添付図面に含まれている。
【００１７】
本発明の利点及び／または特徴、並びにそれらを果たす方法は、添付の図面と共に詳細に後述されている実施例を参照すれば明確になるはずである。しかし、本発明は、以下で開示される実施例に限定されるものではなく、多様な形態で具現されることができる。但し、本実施例は本発明の開示が完全になるようにし、本発明が属する技術分野における通常の知識を有する者に発明の範疇を完全に知らせるために提供されるものであり、本発明は請求項の範疇により定義されるだけである。明細書全般に亘って同一構成要素は同一図面符号をつける。
【発明の効果】
【００１８】
本発明の一実施例によれば、携帯端末にメッセージ着信通知シグナルが届いた時点から文字メッセージ画面が閉じる直前まで、メッセージ着信通知画面及び文字メッセージ画面の遊休空間内に連続して広告を示すことにより、携帯電話使用者が文字メッセージを見るために注意を集中した状態で効率的に広告になるようにすることができる。
【００１９】
本発明の一実施例によれば、不在着信の受信時、画面の遊休空間内に広告を表現することで、携帯端末の利用に不便を与えないながらも使用者の関心を導いて広告効果を極大化させることができる。
【００２０】
本発明の一実施例によれば、広告を見た受信者に広告費の一定額をポイントで提供することで、受信者が無料または割引された料金で文字サービスを利用することができるリワーディングを提供することができる。
【図面の簡単な説明】
【００２１】
【図１】本発明の一実施例による広告表現システムのネットワーク構成を示した図面
【図２】本発明の一実施例による広告表現システムを説明するために示したブロック図
【図３】本発明の一実施例による広告コンテンツを表現する一例を示した図面
【図４】本発明の一実施例による広告コンテンツを表現する一例を示した図面
【図５】本発明の一実施例による広告受信時の画面の一例を示した図面
【図６】本発明の他の実施例による広告コンテンツを表現する一例を示した図面
【図７】本発明の一実施例による広告表現方法を説明するために示したフローチャート
【図８】本発明の他の実施例による広告表現方法を説明するために示したフローチャート
【発明を実施するための最良の形態】
【００２２】
以下では、添付された図面を参照して本発明の実施例を詳細に説明する。
【００２３】
図１は、本発明の一実施例による受信メッセージ着信通知時の遊休空間内の広告表現システム（以下、「広告表現システム」と称する）のネットワーク構成を示した図面である。
【００２４】
図１を参照すると、送信者は携帯端末１１０で文字メッセージの発送に関するメニューを選択した後、受信者の電話番号及びメッセージなどを入力して文字メッセージを発送する。そうすると、受信者の携帯端末１１０には文字メッセージの着信を通知するメッセージ着信通知シグナルが受信される。これにより、上記受信者の携帯端末１１０は画面上に文字メッセージの着信を通知するメッセージ着信通知画面を表示するが、上記メッセージ着信通知画面の遊休空間内に広告コンテンツを出力して表示する。
【００２５】
ここで、上記文字メッセージ着信通知画面には上記文字メッセージの確認のためのボタンが具現されている。上記受信者が上記文字メッセージ着信通知画面で上記ボタンをクリックすると、上記携帯端末１１０の画面上には上記文字メッセージ着信通知画面が消え、その代りに文字メッセージの内容を確認することができる文字メッセージ画面が現われる。
【００２６】
上記文字メッセージ着信通知画面から上記文字メッセージ画面に移動した後にも上記広告コンテンツの出力は続く。この時、上記広告コンテンツは上記文字メッセージ画面の遊休空間内に連続して出力されて表示されることができる。よって、受信者は文字メッセージの着信通知時から文字メッセージの内容を確認するまで続いて上記広告コンテンツを見ることができる。
【００２７】
以後、上記受信者が上記文字メッセージの内容を確認した後、上記文字メッセージ画面を閉じる場合、上記広告コンテンツの出力は解除される。この時、上記受信者の同意がある場合、上記携帯端末１１０の画面では上記広告コンテンツの出力が解除されると同時に、上記広告コンテンツと関連した広告主のサイトが表示されることができる。
【００２８】
上記広告コンテンツは、広告サーバ１４０から予めダウンロードされることができる。このようにダウンロードされた広告コンテンツは、上記受信者の携帯端末１１０のメモリに格納されることができる。また、上記広告コンテンツは、上記文字メッセージの受信と同時に上記広告サーバ１４０からストリーミング方式で送られたものであることもできる。
【００２９】
以下では、上記携帯端末１１０に、上記広告サーバ１４０から上記広告コンテンツが伝達される過程について説明する。ここで、上記過程は、ダウンロード方式であることもでき、ストリーミング方式であることもできる。
【００３０】
まず、送信者は、文字入力画面を通じて上記携帯端末１１０に文字メッセージを入力し、上記入力された文字メッセージに対する転送要請情報（文字、送信者及び受信者の電話番号など）を移動通信網を通じてＳＭＳサーバ１２０に送る。
【００３１】
以後、上記ＳＭＳサーバ１２０は、上記携帯端末１１０から上記文字メッセージを受信し、上記受信者の電話番号により識別された携帯端末１１０に上記受信された文字メッセージを送る。それとともに、上記ＳＭＳサーバ１２０は、上記広告コンテンツに対する転送要請情報を上記広告サーバ１４０に送る。
【００３２】
続いて、上記広告サーバ１４０は、上記ＳＭＳサーバ１２０から上記広告コンテンツに対する転送要請情報を受信し、上記受信された転送要請情報を参照して広告コンテンツデータベース１５０から上記広告コンテンツを読み出す。
【００３３】
このとき、上記広告サーバ１４０は、上記転送要請情報に含まれた識別情報を用いて個人情報データベース１６０から該当個人情報を検索し、上記検索された個人情報により適切な広告コンテンツ（上記送信者に効果的な広告コンテンツ）を、上記広告コンテンツデータベース１５０から選別して読み出すことができる。
【００３４】
上記広告コンテンツデータベース１５０は、多様な広告コンテンツ、例えば、動画、写真、テキスト、音声などを格納し、上記個人情報データベース１６０は、移動通信サービス加入者の個人情報、例えば、上記移動通信サービス加入者の名前、住所、電話番号、職業、地域情報（家、会社、現在位置など）、関心分野などを格納する。
【００３５】
ここで、上記関心分野は、移動通信サービス加入時、該当移動通信社が該当顧客に多様なサービスまたは広告情報を提供するために通常的に入力を要求するものであって、このような関心分野によって移動通信社は、該当顧客に多様な情報とサービスを選別して提供することになる。
【００３６】
続いて、上記広告サーバ１４０は、上記広告コンテンツデータベース１５０から読み出された広告コンテンツを上記移動通信網を通じて上記受信者の携帯端末１１０に送る。
【００３７】
これにより、上記受信者の携帯端末１１０は、上記検索された広告コンテンツを上記広告サーバ１４０から受信する。この時、上記広告コンテンツは、ダウンロード方式で受信した場合、上記携帯端末１１０の内部に搭載されたメモリに格納され、ストリーミング方式で受信した場合、リアルタイムで上記携帯端末１１０の画面に表示される。
【００３８】
上記移動通信網は、文字メッセージ転送、音声データ及び各種信号を送受信する一般的な無線ネットワーク網であって、図面には示されなかったが、基地局、基地局制御機、交換機、及びホーム位置登録機（ＨＬＲ）を含むことができる。
【００３９】
上記基地局は、送受信アンテナを通じて上記携帯端末１１０と情報を交換する。
【００４０】
上記基地局制御機は、有無線チャンネル管理端末機プロトコル整合と基地局プロトコル整合及び制御を遂行し、システムローディング障害管理などのような基地局管理機能を担当する。
【００４１】
上記交換局は、上記基地局で発信／着信される信号を処理し、上記基地局制御機が効率的に運用されることができるように調整する中央統制機能を有する。
【００４２】
上記ホーム位置登録機は、加入者の発信／着信状態、付加サービスなど、各種情報と加入者の位置を知らせる。
【００４３】
また、課金サーバ１３０は、上記広告サーバ１４０で上記広告コンテンツを提供する場合、上記受信者の文字メッセージサービスの利用による利用料金を算出して登録することにより、上記受信者が無料または割引された金額で文字メッセージサービスを用いるようにする。
【００４４】
本発明の一実施例では、上記広告コンテンツが提供される受信者に、上記課金サーバ１３０を用いて上記利用料金に対する割引リワーディングを提供することを挙げて説明したが、ここに限定されず、上記した無料文字メッセージサービスの他に、特定企業のオマケをあげるか、多様なリワーディングがあるイベントに応募することができる応募券をあげるなどのような、様々な経済的なリワーディングを上記受信者に提供することもできる。
【００４５】
図２は、本発明の一実施例による広告表現システムを説明するために示したブロック図である。ここで、上記広告表現システムは、図１の携帯端末１１０に搭載されて遂行されることができる。
【００４６】
図２を参照すると、本発明の一実施例による広告表現システム２００は、広告出力部２１０、広告解除部２２０、選択画面表示部２３０、コンテンツ転送部２４０、ポイントリワーディング部２５０、及び制御部２６０を含むことができる。
【００４７】
上記広告出力部２１０は、携帯端末に文字メッセージの着信を通知するメッセージ着信通知シグナルが受信される場合、上記文字メッセージの着信を通知するメッセージ着信通知画面の遊休空間内に広告コンテンツを出力する。
【００４８】
ここで、上記広告コンテンツは、広告サーバから予めダウンロードされて上記携帯端末のメモリに格納されたものであるか、上記文字メッセージの受信と同時に上記広告サーバからストリーミング方式で送られたものであることができる。
【００４９】
即ち、上記広告出力部２１０は、予めダウンロードされている広告コンテンツを上記携帯端末のメモリで検索して、上記メッセージ着信通知画面の遊休空間内に出力することができる。また、上記広告出力部２１０は、ストリーミング方式で送られた広告コンテンツをリアルタイムで出力することもできる。
【００５０】
ここで、上記広告サーバは、広告データベースから無作為に広告コンテンツを選別して上記受信者の携帯端末に送ることができる。また、上記広告サーバは、上記受信者の個人情報に基礎して上記広告データベースから該当広告コンテンツを選別し、上記選別された広告コンテンツを上記受信者の携帯端末に送ることもできる。
【００５１】
上記広告出力部２１０は、上記広告コンテンツが出力中の上記メッセージ着信通知画面で、受信者が上記文字メッセージの確認のためのボタンをクリックする場合、上記受信された文字メッセージを確認することができる文字メッセージ画面に移動（転換）する。
【００５２】
そして、上記広告出力部２１０は、上記文字メッセージ画面の遊休空間内に上記広告コンテンツを続いて出力する。この時、上記広告出力部２１０は、上記広告コンテンツを続いて出力する代りに、上記文字メッセージ画面の遊休空間内に上記広告コンテンツと関連した情報を出力することもできる。
【００５３】
例えば、上記広告出力部２１０は、上記文字メッセージ画面の遊休空間内に上記広告コンテンツと関連した情報として、上記広告コンテンツと同一または類似の広告内容、あるいは上記広告コンテンツの要約本などを出力することができる。
【００５４】
上記広告解除部２２０は、上記受信者が上記文字メッセージを確認した後に上記文字メッセージ画面を閉じる場合、上記広告コンテンツの出力を解除する。すなわち、上記広告コンテンツは、上記携帯端末に上記メッセージ着信通知シグナルが届いた時点から上記文字メッセージ画面が閉じる直前まで、上記メッセージ着信通知画面及び上記文字メッセージ画面に連続して表現される。そして、上記広告コンテンツは、上記文字メッセージ画面が閉じると直ちに上記携帯端末の画面から消えることになる。
【００５５】
上記選択画面表示部２３０は、上記受信者が上記広告コンテンツをクリックして上記広告コンテンツの詳細内容を見る場合、上記携帯端末の画面上に広告受信確認メッセージの送信許容可否を選択することができる送信許容選択画面を表示する。
【００５６】
ここで、上記広告コンテンツは、上記メッセージ着信通知画面の遊休空間内に表現されたものであるか、または上記文字メッセージ画面の遊休空間内に表現されたものであることができる。
【００５７】
上記コンテンツ転送部２４０は、上記受信者が上記送信許容選択画面で送信許容を選択する場合、上記文字メッセージを送信した送信者の携帯端末に上記広告受信確認メッセージとともに上記広告コンテンツを送る。
【００５８】
これにより、上記広告コンテンツは、上記送信者の携帯端末画面に表現されるが、上記広告受信確認メッセージの確認のための受信確認メッセージ画面の遊休空間内に表現される。
【００５９】
上記ポイントリワーディング部２５０は、上記受信者が上記送信許容選択画面で送信拒否を選択する場合、上記広告コンテンツに対する広告費の一定額がポイントで提供されることにより、上記受信者がポイントを用いて無料または割引された金額で文字メッセージを送るようにする。
【００６０】
上記制御部２６０は、本発明の一実施例による広告表現システム２００、すなわち上記広告出力部２１０、広告解除部２２０、選択画面表示部２３０、コンテンツ転送部２４０、ポイントリワーディング部２５０などの動作を全般的に制御する。
【００６１】
他の実施例として、上記広告表現システム２００は、不在着信がある場合にも不在着信メッセージ通知画面の遊休空間（画面）内に上記広告コンテンツを表現することができる。
【００６２】
ここで、不在着信とは、携帯端末に受信された着信信号に対して、受信者が応答しなかったため上記着信信号が終わることを言う。上記携帯端末に上記不在着信があった場合、上記広告出力部２１０は、不在時に電話がかかってきたことを知らせるための不在着信メッセージ通知画面の遊休空間内に広告コンテンツを出力する。
【００６３】
上記不在着信メッセージ通知画面には上記受信者が不在時に着信された電話番号の確認のためのボタンが備えられている。上記受信者が上記ボタンをクリック（タッチフォンの場合はタッチ）する場合、上記広告出力部２１０は、上記電話番号を確認することができる不在着信確認画面に移動した後、上記不在着信確認画面の遊休空間内に上記広告コンテンツを続いて出力する。
【００６４】
上記広告解除部２２０は、上記受信者が上記電話番号を確認した後、上記不在着信確認画面を閉じる場合、上記広告コンテンツの出力を解除するとともに広告主のサイトに移動する。
【００６５】
図３乃至図４は、本発明の一実施例によって広告コンテンツを表現する一例を示した図面である。特に、図３はタッチフォンで広告コンテンツを表現する一例であり、図４は２Ｇフォンで広告コンテンツを表現する一例である。
【００６６】
タッチフォンの場合には、メッセージ着信通知シグナルを受信すると、図３のｉ）のようなメッセージ着信通知画面を開き、上記メッセージ着信通知画面の上部の遊休空間（字が示されていない画面領域）内に広告を表現する。
【００６７】
以後、受信者が上記メッセージ着信通知画面でメッセージ確認ボタン（「はい」ボタン）をタッチすると、上記タッチフォンは、図３のｉｉ）のような文字メッセージ画面に移動（転換）した後、上記文字メッセージ画面の下部の遊休空間内に広告を続いて表現する。
【００６８】
また、上記受信者が上記メッセージ着信通知画面でメッセージ未確認ボタン（「いいえ」ボタン）をタッチすると、上記タッチフォンは、広告出力を解除して待機画面に転換する。
【００６９】
一方、２Ｇフォンの場合には、メッセージ着信通知シグナルを受信すると、図４のｉ）のように画面上段に封筒のアイコンが表示されたメッセージ着信通知画面を開き、上記メッセージ着信通知画面の遊休空間内に広告を表現する。
【００７０】
その後、受信者がキーパッド内の確認ボタンをクリックすると、上記２Ｇフォンは図４のｉｉ）のような文字メッセージ画面に移動した後、上記文字メッセージ画面の下部の遊休空間内に広告を続いて表現する。
【００７１】
図５は、本発明の一実施例により広告受信時の画面の一例を示した図面である。
【００７２】
受信者がメッセージ着信通知画面に表現された広告を見る場合、上記受信者の携帯端末画面には、図５のｉ）に示したように、送信者から広告を受信したことを確認したメッセージ（ＡＣＫメッセージ）の送信許容可否を選択することができる送信許容選択画面が表示される。
【００７３】
以後、上記受信者が上記送信許容選択画面で送信許容を選択する場合（「はい」ボタンクリック／タッチ）、上記送信者の携帯端末には、図５のｉｉ）に示されたように、広告受信確認メッセージ（メッセージを受信しました。２０１０．０６／０３ＰＭ１０:００）とともに、上記受信者の携帯端末に送られた広告が表示される。
【００７４】
また、上記受信者が上記送信許容選択画面で送信拒否を選択する場合（「いいえ」ボタンクリック／タッチ）、上記受信者は、広告費の一定額をポイントやコインなどで提供されることができる。これにより、上記受信者は上記ポイントなどを用いて無料で文字を送ることができる。
【００７５】
図６は、本発明の他の実施例により広告コンテンツを表現する一例を示した図面である。
【００７６】
携帯端末に不在着信（音声、映像のいずれも含む）がある場合、図６のｉ）、ｉｉ）のように多様な形態で不在着信メッセージ通知画面が上記携帯端末の画面に表示される。
【００７７】
この時、上記不在着信メッセージ通知画面には使用されていない領域、すなわち遊休空間が存在するが、上記携帯端末はこのような遊休空間に広告を表示する。
【００７８】
上記不在着信メッセージ通知画面には、図面には示されていないが、電話番号の確認ボタンがあることができ、図面のように電話番号の確認ボタンがないこともある。
【００７９】
上記不在着信メッセージ通知画面の内に、上記電話番号の確認ボタンがある場合、上記電話番号の確認ボタンをクリック（タッチ）し、上記電話番号の確認ボタンがない場合、キーパッドの確認ボタンをクリックする。そうすると、上記携帯端末の画面は、上記不在着信メッセージ通知画面から不在着信電話番号の確認画面（未図示）に移動し、上記不在着信電話番号の確認画面の遊休空間内に広告を続いて表示する。
【００８０】
その後、上記携帯端末の画面で上記不在着信電話番号の確認画面が閉じると、上記不在着信電話番号の確認画面での広告出力は解除される。または、上記携帯端末の画面で上記不在着信電話番号の確認画面が閉じると、上記不在着信電話番号の確認画面から広告主のサイトに移動する。
【００８１】
一方、受信者が不在着信の電話を確認する場合、確認したという確認文字とともに広告を送信者に送るか、無料または割引された金額で文字メッセージを送ることができるポイントを上記受信者に提供することができる。
【００８２】
図７は、本発明の一実施例による受信メッセージ着信通知時の遊休空間内の広告表現方法（以下、「広告表現方法」と称する）を説明するために示したフローチャートである。ここで、上記広告表現方法は、図１の広告表現システムにより遂行されることができる。
【００８３】
図７を参照すると、段階７１０で上記広告表現システムは、携帯端末に文字メッセージの着信を通知するメッセージ着信通知シグナルが受信されたかを確認する。
【００８４】
上記確認結果、上記メッセージ着信通知シグナルが受信された場合（７１０の「はい」方向）、段階７２０で上記広告表現システムは、上記文字メッセージの着信を通知するメッセージ着信通知画面の遊休空間内に広告コンテンツを出力する。
【００８５】
また、上記確認結果、上記メッセージ着信通知シグナルが受信された場合（７１０の「いいえ」方向）、上記広告表現システムは、上記メッセージ着信通知シグナルが受信されるまで待機する。
【００８６】
次に、段階７３０で上記広告コンテンツが出力中の上記メッセージ着信通知画面で、受信者が上記文字メッセージの確認のためのボタンをクリックしたかどうかを確認する。
【００８７】
上記確認結果、上記文字メッセージ確認ボタンがクリックされた場合（７３０の「はい」方向）、段階７４０で上記広告表現システムは、上記受信された文字メッセージを確認することができる文字メッセージ画面に移動（転換）した後、上記文字メッセージ画面の遊休空間内に上記広告コンテンツを続いて出力する。
【００８８】
この時、上記広告出力部２１０は、上記文字メッセージ画面の遊休空間内に上記広告コンテンツと関連した情報として、上記広告コンテンツと同一または類似の広告内容、あるいは上記広告コンテンツの要約本などを出力することができる。
【００８９】
また、上記確認結果、上記文字メッセージ確認ボタンがクリックされなかった場合（７３０の「いいえ」方向）、上記広告表現システムは上記段階７２０を遂行する。この時、上記段階７２０は一定時間遂行されることができ、遂行が完了すると、上記広告表現システムは上記携帯端末の画面を待機画面に転換することができる。
【００９０】
次に、段階７５０で上記受信者が上記文字メッセージを確認した後、上記文字メッセージ画面を解除する（閉じる）かどうかを確認する。
【００９１】
上記確認結果、上記文字メッセージ画面が解除された場合（７５０の「はい」方向）、段階７６０で上記広告表現システムは、上記広告コンテンツの出力を解除した後、最初の画面（待機画面）に戻る。または、上記広告表現システムは、上記広告コンテンツの出力解除と同時に広告主のサイトに移動して上記携帯端末の画面に広告主のサイトを表示することができる。
【００９２】
また、上記確認結果、上記文字メッセージ画面が解除されなかった（開かれた）場合（７５０の「いいえ」方向）、上記広告表現システムは上記段階７４０を遂行する。上記段階７４０は一定時間遂行されることができ、遂行が完了すると、上記広告表現システムは上記携帯端末の画面を待機画面に転換することができる。
【００９３】
このように、上記広告コンテンツは、上記携帯端末に上記メッセージ着信通知シグナルが届いた時点から上記文字メッセージ画面が閉じる直前まで、上記メッセージ着信通知画面及び上記文字メッセージ画面に連続して表現される。そして、上記広告コンテンツは、上記文字メッセージ画面が閉じると直ちに上記携帯端末の画面から消えることになる。
【００９４】
一方、上記広告表現システムは、上記受信者が上記広告コンテンツをクリックして上記広告コンテンツの詳細内容を見る場合、上記携帯端末の画面上に広告受信確認メッセージの送信許容可否を選択することができる送信許容選択画面を表示する。
【００９５】
ここで、上記広告コンテンツは、上記メッセージ着信通知画面の遊休空間内に表現されたものであるか、または上記文字メッセージ画面の遊休空間内に表現されたものである。
【００９６】
上記広告表現システムは、上記受信者が上記送信許容選択画面で送信許容を選択する場合、上記文字メッセージを送信した送信者の携帯端末に上記広告受信確認メッセージとともに上記広告コンテンツを送る。
【００９７】
これにより、上記広告コンテンツは、上記送信者の携帯端末の画面に表現されるが、上記広告受信確認メッセージの確認のための受信確認メッセージ画面の遊休空間内に表現される。
【００９８】
また、上記広告表現システムは、上記受信者が上記送信許容選択画面で送信拒否を選択する場合、上記広告コンテンツに対する広告費の一定額がポイントで提供されることで、上記受信者がポイントを用いて無料文字メッセージを送るようにする。
【００９９】
図８は、本発明の他の実施例による広告表現方法を説明するために示したフローチャートである。
【０１００】
図８を参照すると、段階８１０で上記広告表現システムは、携帯端末に不在着信があったかどうかを判断する。
【０１０１】
上記判断結果、上記不在着信があった場合（８１０の「はい」方向）、段階８２０で上記広告表現システムは、不在時に電話がかかってきたことを知らせるための不在着信メッセージ通知画面の遊休空間内に広告コンテンツを出力する。
【０１０２】
また、上記判断結果、上記不在着信がなかった場合（８１０の「いいえ」方向）、上記広告表現システムは不在着信があることを待機する。
【０１０３】
次に、段階８３０で上記広告表現システムは、上記受信者が上記不在着信メッセージ通知画面の電話番号の確認ボタンをクリック（タッチ）するかどうかを確認する。
【０１０４】
上記確認結果、上記電話番号の確認ボタンがクリックされた場合（８３０の「はい」方向）、段階８４０で上記広告表現システムは、上記電話番号を確認することができる不在着信確認画面に移動した後、上記不在着信確認画面の遊休空間内に上記広告コンテンツを続いて出力する。
【０１０５】
また、上記確認結果、上記電話番号の確認ボタンがクリックされなかった場合（８３０の「いいえ」方向）、上記広告表現システムは、上記段階８２０を遂行する。この時、上記段階８２０は一定時間遂行されることができ、遂行が完了すると、上記広告表現システムは上記携帯端末の画面を待機画面に転換することができる。
【０１０６】
次に、段階８５０で上記広告表現システムは、上記受信者が上記電話番号を確認した後、上記不在着信確認画面を解除する（閉じる）かどうかを確認する。
【０１０７】
上記確認結果、上記不在着信確認画面が解除された（閉じた）場合（８５０の「はい」方向）、段階８６０で上記広告表現システムは上記広告コンテンツの出力を解除した後、最初の画面（待機画面）に戻る。または、上記広告表現システムは、上記広告コンテンツの出力解除と同時に広告主のサイトに移動して上記携帯端末の画面に上記広告主のサイトを表示することができる。
【０１０８】
また、上記確認結果、上記不在着信確認画面が解除されなかった（開かれた）場合（８５０の「いいえ」方向）、上記広告表現システムは段階８４０を遂行する。上記段階８４０は、一定時間遂行されることができ、遂行が完了すると、上記広告表現システムは上記携帯端末の画面を待機画面に転換することができる。
【０１０９】
このように、本発明の一実施例による広告表現システム及び方法は、携帯端末にメッセージ着信通知シグナルが届いた時点から文字メッセージ画面が閉じる直前まで、メッセージ着信通知画面及び文字メッセージ画面の遊休空間内に連続して広告を表現することにより、携帯電話使用者が文字メッセージを見るために注意を集中した状態で効率的に広告になるようにすることができる。
【０１１０】
また、本発明の一実施例による広告表現システム及び方法は、不在着信の受信時、画面の遊休空間内に広告を表現することで、携帯端末の利用に不便を与えないながらも使用者の関心を導いて広告効果を極大化させることができる。
【０１１１】
また、本発明の一実施例による広告表現システム及び方法は、広告を見た受信者に広告費の一定額をポイントで提供することにより受信者が無料で文字サービスを用いることができるリワーディングを提供することができる。
【０１１２】
本発明の実施例は、多様なコンピューターで具現される動作を遂行するためのプログラム命令を含むコンピューター読み取り可能な媒体を含む。上記コンピューター読み取り可能な媒体は、プログラム命令、ローカルデータファイル、ローカルデータ構造などを単独または組み合わせて含むことができる。上記媒体は、本発明のために特別に設計されて構成されたものなどやコンピューターソフトウェアの当業者にとって公知されて使用可能なものであることができる。コンピューター読み取り可能な記録媒体の例としては、ハードディスク、フロッピーディスク及び磁気テープのような磁気媒体、ＣＤ−ＲＯＭ、ＤＶＤのような光記録媒体、フロプティカルディスクのような磁気−光媒体、及びロム、ラム、フラッシュメモリなどのようなプログラム命令を格納して遂行するように特別に構成されたハードウェア装置が含まれる。プログラム命令の例としては、コンパイラにより作られるもののような機械語コードだけでなく、インタプリターなどを使用してコンピューターにより実行されることができる高級言語コードを含む。
【０１１３】
今まで本発明に係る具体的な実施例に関して説明したが、本発明の範囲から脱しない範囲内では様々な変形が可能であることは当然である。よって、本発明の範囲は説明された実施例に限って決められず、後述する特許請求の範囲だけではなくこの特許請求の範囲と均等なものなどによって決まらなければならない。
【０１１４】
以上のように、本発明は限定された実施例と図面により説明されたが、本発明は上記の実施例に限定されるものではなく、本発明が属する分野における通常の知識を有する者であれば、このような記載から多様な修正及び変形が可能である。したがって、本発明の思想は特許請求範囲だけによって把握されなければならず、これと均等または等価的変形のいずれも本発明の思想の範疇に属するものとすることができる。
【符号の説明】
【０１１５】
１１０：携帯端末
１２０：ＳＭＳサーバ
１３０：課金サーバ
１４０：広告サーバ
１５０：広告コンテンツＤＢ
１６０：個人情報ＤＢ
２００：広告表現システム
２１０：広告出力部
２２０：広告解除部
２３０：選択画面表示部
２４０：コンテンツ転送部
２５０：ポイントリワーディング部
２６０：制御部
【図１】
2013513853.tif 000003
【図２】
2013513853.tif 000004
【図３】
2013513853.tif 000005
【図４】
2013513853.tif 000006
【図５】
2013513853.tif 000007
【図６】
2013513853.tif 000008
【図７】
2013513853.tif 000009
【図８】
2013513853.tif 000010
【手続補正書】
【提出日】平成24年6月12日(2012.6.12)
【手続補正１】
【補正対象書類名】特許請求の範囲
【補正対象項目名】全文
【補正方法】変更
【補正の内容】
【特許請求の範囲】
【請求項１】
広告表現システムにより遂行される広告表現方法において、
前記広告表現システムで、携帯端末に文字メッセージの着信を通知するメッセージ着信通知シグナルが受信される段階；
前記文字メッセージの着信を通知するメッセージ着信通知画面の遊休空間内に広告コンテンツを出力する段階とを含む
ことを特徴とする受信メッセージ着信通知時の遊休空間内の広告表現方法。
【請求項２】
前記広告コンテンツを出力する段階の以後に、
前記広告表現システムで、前記広告コンテンツが出力中の前記メッセージ着信通知画面で、前記文字メッセージの確認のためのボタンがクリックされる場合、前記受信された文字メッセージを確認することができる文字メッセージ画面に移動し、前記文字メッセージ画面の遊休空間内に前記広告コンテンツを続いて出力する段階；
前記広告表現システムで、前記文字メッセージ画面が閉じる場合、前記広告コンテンツの出力を解除すると同時に広告主のサイトに移動する段階；
前記広告表現システムで、前記メッセージ着信通知画面の遊休空間内に表現された前記広告コンテンツ、または前記文字メッセージ画面の遊休空間内に表現された前記広告コンテンツがクリックされる場合、前記携帯端末の画面上に広告受信確認メッセージの送信許容可否を選択することができる送信許容選択画面を表示する段階を含む
ことを特徴とする請求項１に記載の受信メッセージ着信通知時の遊休空間内の広告表現方法。
【請求項３】
前記広告表現システムで、前記送信許容選択画面で送信許容が選択される場合、前記文字メッセージを送信した送信者の携帯端末に前記広告受信確認メッセージとともに前記広告コンテンツを送る段階とを含み、前記広告コンテンツは広告サーバから予めダウンロードされて前記携帯端末のメモリーに格納されたものであるか、前記文字メッセージの受信と同時に前記広告サーバからストリーミング方式で送られたものであり、前記送信者の携帯端末画面に表現されるが、前記広告受信確認メッセージの確認のための受信確認メッセージ画面の遊休空間内に表現される
ことを特徴とする請求項２に記載の受信メッセージ着信通知時の遊休空間内の広告表現方法。
【請求項４】
前記広告表現システムで、前記送信許容選択画面で送信拒否が選択される場合、前記広告コンテンツに対する広告費の一定額をポイント化して受信者に提供することにより、前記受信者がポイントを用いて無料文字メッセージを送ることができるようにする段階をさらに含む
ことを特徴とする請求項１に記載の受信メッセージ着信通知時の遊休空間内の広告表現方法。
【請求項５】
前記文字メッセージ画面の遊休空間内には、前記広告コンテンツと関連した情報が出力される
ことを特徴とする請求項１に記載の受信メッセージ着信通知時の遊休空間内の広告表現方法。
【請求項６】
前記広告サーバは、受信者の個人情報に基礎して広告データベースから該当広告コンテンツを選別し、前記選別された広告コンテンツを前記受信者の携帯端末に送る
ことを特徴とする請求項１に記載の受信メッセージ着信通知時の遊休空間内の広告表現方法。
【請求項７】
広告表現システムにより遂行される広告表現方法において、
前記広告表現システムで、携帯端末に受信された着信信号に対して受信者が応答しなかったため前記着信信号が終わる段階；
不在時に電話がかかってきたことを通知するための不在着信メッセージ通知画面の遊休空間内に広告コンテンツを出力する段階とを含む
ことを特徴とする不在着信通知時の遊休空間内の広告表現方法。
【請求項８】
前記広告コンテンツを出力する段階の以後に、
前記広告表現システムで、前記広告コンテンツが出力中の前記不在着信メッセージ通知画面で、前記不在時に着信された電話番号の確認のためのボタンがクリックされる場合、前記電話番号を確認することができる不在着信確認画面に移動し、前記不在着信確認画面の遊休空間内に前記広告コンテンツを続いて出力する段階；
前記広告表現システムで、前記不在着信確認画面が閉じる場合、前記広告コンテンツの出力を解除すると同時に広告主のサイトに移動する段階；
前記広告表現システムで、前記不在着信メッセージ通知画面の遊休空間内に表現された前記広告コンテンツ、または前記不在着信確認画面の遊休空間内に表現された前記広告コンテンツがクリックされる場合、前記携帯端末の画面上に広告受信確認メッセージの送信許容可否を選択することができる送信許容選択画面を表示する段階とを含む
ことを特徴とする請求項７に記載の不在着信通知時の遊休空間内の広告表現方法。
【請求項９】
前記広告表現システムで、前記送信許容選択画面で送信許容が選択される場合、送信者の携帯端末に前記広告受信確認メッセージとともに前記広告コンテンツを送る段階とを含み、前記広告コンテンツは、広告サーバから予めダウンロードされて前記携帯端末のメモリーに格納されたものであるか、文字メッセージの受信と同時に前記広告サーバからストリーミング方式で送られたものであり、前記送信者の携帯端末画面に表現されるが、前記広告受信確認メッセージの確認のための受信確認メッセージ画面の遊休空間内に表現される
ことを特徴とする請求項８に記載の不在着信通知時の遊休空間内の広告表現方法。
【請求項１０】
前記広告表現システムで、前記不在着信メッセージ通知画面で、前記不在時に着信された電話番号の確認のためのボタンがクリックされる場合、送信者の携帯端末には前記不在時に着信された電話番号を確認したという確認文字を送り、前記受信者の携帯端末には無料文字メッセージを送ることができるポイントを提供する段階をさらに含む
ことを特徴とする請求項８に記載の不在着信通知時の遊休空間内の広告表現方法。
【請求項１１】
前記広告表現システムで、前記送信許容選択画面で送信拒否が選択される場合、前記広告コンテンツに対する広告費の一定額をポイント化して前記受信者に提供することで、前記受信者がポイントを用いて無料文字メッセージを送ることができるようにする段階をさらに含む
ことを特徴とする請求項８に記載の不在着信通知時の遊休空間内の広告表現方法。
【請求項１２】
携帯端末に文字メッセージの着信を通知するメッセージ着信通知シグナルが受信される場合、前記文字メッセージの着信を通知するメッセージ着信通知画面の遊休空間内に広告コンテンツを出力する
ことを特徴とする受信メッセージ着信通知時の遊休空間内の広告表現システム。
【請求項１３】
前記広告コンテンツが出力中の前記メッセージ着信通知画面で、前記文字メッセージの確認のためのボタンがクリックされる場合、前記受信された文字メッセージを確認することができる文字メッセージ画面に移動し、前記文字メッセージ  画面の遊休空間内に前記広告コンテンツを続いて出力する広告出力部；
前記文字メッセージ画面が閉じる場合、前記広告コンテンツの出力を解除すると同時に広告主のサイトに移動する広告解除部；
前記メッセージ着信通知画面の遊休空間内に表現された前記広告コンテンツ、または前記文字メッセージ画面の遊休空間内に表現された前記広告コンテンツがクリックされる場合、前記携帯端末の画面上に広告受信確認メッセージの送信許容可否を選択することができる送信許容選択画面を表示する選択画面表示部；及び
前記送信許容選択画面で送信許容が選択される場合、前記文字メッセージを送信した送信者の携帯端末に前記広告受信確認メッセージとともに前記広告コンテンツを送るコンテンツ転送部とを含む
ことを特徴とする請求項１２に記載の受信メッセージ着信通知時の遊休空間内の広告表現システム。
【請求項１４】
前記広告コンテンツは、広告サーバから予めダウンロードされて前記携帯端末のメモリーに格納されたものであるか、前記文字メッセージの受信と同時に前記広告サーバからストリーミング方式で送られたものであり、前記送信者の携帯端末画面に表現されるが、前記広告受信確認メッセージの確認のための受信確認メッセージ画面の遊休空間内に表現される
ことを特徴とする請求項１３に記載の受信メッセージ着信通知時の遊休空間内の広告表現システム。
【請求項１５】
前記送信許容選択画面で送信拒否が選択される場合、前記広告コンテンツに対する広告費の一定額をポイント化して前記受信者に提供することにより、前記受信者がポイントを用いて無料文字メッセージを送ることができるようにするポイント提供部をさらに含む
ことを特徴とする請求項１４に記載の受信メッセージ着信通知時の遊休空間内の広告表現システム。
【請求項１６】
携帯端末に受信された着信信号に対して受信者が応答しなかったため前記着信信号が終わる場合、不在時に電話がかかってきたことを通知するための不在着信メッセージ通知画面の遊休空間内に広告コンテンツを出力する
ことを特徴とする請求項１５に記載の不在着信通知時の遊休空間内の広告表現システム。
【請求項１７】
前記広告コンテンツが出力中の前記不在着信メッセージ通知画面で、前記不在時に着信された電話番号の確認のためのボタンがクリックされる場合、前記電話番号を確認することができる不在着信確認画面に移動し、前記不在着信確認画面の遊休空間内に前記広告コンテンツを続いて出力する広告出力部；及び
前記不在着信確認画面が閉じる場合、前記広告コンテンツの出力を解除すると同時に広告主のサイトに移動する広告解除部；前記不在着信メッセージ通知画面の遊休空間内に表現された前記広告コンテンツ、または前記不在着信確認画面の遊休空間内に表現された前記広告コンテンツがクリックされる場合、前記携帯端末の画面上に広告受信確認メッセージの送信許容可否を選択することができる送信許容選択画面を表示する選択画面表示部；及び
前記送信許容選択画面で送信許容が選択される場合、送信者の携帯端末に前記広告受信確認メッセージとともに前記広告コンテンツを送るコンテンツ転送部とを含む
ことを特徴とする請求項１６に記載の不在着信通知時の遊休空間内の広告表現システム。
【請求項１８】
前記広告コンテンツは、広告サーバから予めダウンロードされて前記携帯端末のメモリーに格納されたものであるか、文字メッセージの受信と同時に前記広告サーバからストリーミング方式で送られたものであり、前記送信者の携帯端末画面に表現されるが、前記広告受信確認メッセージの確認のための受信確認メッセージ画面の遊休空間内に表現される
ことを特徴とする請求項１７に記載の不在着信通知時の遊休空間内の広告表現システム。
【請求項１９】
前記不在着信メッセージ通知画面で、前記不在時に着信された電話番号の確認のためのボタンがクリックされる場合、送信者の携帯端末には前記不在時に着信された電話番号を確認したという確認文字を送り、前記受信者の携帯端末には無料文字メッセージを送ることができるポイントを提供するポイント提供部をさらに含む
ことを特徴とする請求項１８に記載の不在着信通知時の遊休空間内の広告表現システム。
【手続補正２】
【補正対象書類名】明細書
【補正対象項目名】００８５
【補正方法】変更
【補正の内容】
【００８５】
また、上記確認結果、上記メッセージ着信通知シグナルが受信されなかった場合（７１０の「いいえ」方向）、上記広告表現システムは、上記メッセージ着信通知シグナルが受信されるまで待機する。
【手続補正３】
【補正対象書類名】図面
【補正対象項目名】図３
【補正方法】変更
【補正の内容】
【図３】
2013513853.tif 000011
【手続補正４】
【補正対象書類名】図面
【補正対象項目名】図４
【補正方法】変更
【補正の内容】
【図４】
2013513853.tif 000012
【手続補正５】
【補正対象書類名】図面
【補正対象項目名】図５
【補正方法】変更
【補正の内容】
【図５】
2013513853.tif 000013
【手続補正６】
【補正対象書類名】図面
【補正対象項目名】図６
【補正方法】変更
【補正の内容】
【図６】
2013513853.tif 000014
【国際調査報告】
2013513853.tif 000015
2013513853.tif 000016
2013513853.tif 000017
2013513853.tif 000018